(57)【特許請求の範囲】
【請求項１】
プラスチックフィルム製の一対のシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、この袋体内に固形の食品を挿入することにより袋体を食品の外形に沿った板状の立体形状に拡げる包装入り食品において、切り裂きのきっかけとなる手段を設けた切り裂き側のシートの裏面のタブ箇所からシート後方にかけて、シート後方に向かって互いの間隔を一旦狭めて交差させた後広げるＸ字状になるように設定した一対のカットテープを接着すると共に、前記頂部封止部において上記テープの交差箇所が一対のシート間に接着されるよう設定した包装入り食品において、接着手段としてヒートシールを採用すると共に、一対のカットテープ中の少なくとも非切り裂き側のシートに接着される側のカットテープをイージーピール性フィルムとすることにより、非切り裂き側のシートに接着される側のカットテープの接着強度を、一対のシート同士の接着強度より弱く設定したことを特徴とする包装入り食品。
【請求項２】
カットテープが接着されたシート側のタブ端に、切り裂きのきっかけとなる手段として一対のカットテープの始端より広い間隔をもった一対の切り込みを設けた請求項１記載の包装入り食品。
【請求項３】
食品は三角形のサンドイッチである請求項１又は２記載の包装入り食品。
【発明の詳細な説明】
【技術分野】
【０００１】
この発明は、プラスチックフィルム製の包装袋に収容された包装入り食品に関する。
【背景技術】
【０００２】
両側辺が先端に向かって幅狭となるプラスチックフィルム製の一対のシートを重ね合わせ、各シートの先端所定範囲をタブとして残した状態で、両側辺を横断する線に沿って各シート同士を接着した頂部封止部と、頂部封止部より後方の各シートの両側辺同士を接着した側面封止部により３方を封止した袋体がサンドイッチの包装袋として公知である（特許文献１）。上記公知発明においては、袋体内に三角形のサンドイッチを挿入することにより、対向する一対の斜面の厚みが頂部封止部の幅により規定される板状の三角形に袋体が立体的に拡げられる。この場合、サンドイッチの取り出しのための袋体の切り裂き手段として、袋体の切り裂きを行う側の斜面の全長方向の中心線に沿ってシートの裏側にカットテープを接着し、切り裂きを行う側のシートのタブの先端にしてカットテープの両側に一対の切り込みを設けている。この公知発明においては、一対の切り込みにより挟まれたタブの一部をカットテープごと指先で摘んで引っ張り上げることによりカットテープに沿って規定される方向、即ち袋体の斜面全長方向に沿ってシートが切り裂かれる作用を生じる。
【０００３】
一方、この種の包装袋において、一本のカットテープに代えて一対の細幅のカットテープを使用し、シートのタブ箇所からシート後方にかけてカットテープ同士の間隔をシート後方に向かうに従い広くなるように設定したサンドイッチの包装袋も公知である（特許文献２）。
【特許文献１】実開平７−８２３８号公報
【特許文献２】特開２０００- ３２６９９２号公報
【発明の開示】
【発明が解決しようとする課題】
【０００４】
前記の特許文献１に記載の発明においては袋体を文字通り線状に切り裂いていたので、易開封手段を用いて切り裂いただけでは包装は今だ完全に開封されていない問題が指摘できる。即ち、収容された食品を取り出すには切り裂き部分の両端を指で摘んで互いに反対方向に引っ張って袋体を完全に破壊する作業が必要であり、これは単に需要者に手間を強いるだけでなく、例えばサンドイッチ等の食品において端部からはみ出た具材が包装体の裏面に付着している場合はこれらが需要者の手に付着することともなった。
【０００５】
これに対し、特許文献２に記載の発明においてはシートのタブ箇所からシート後方にかけてカットテープ同士の間隔をシート後方に向かうに従い広くなるように設定した一対のカットテープを使用するので、一対のカットテープの間隔の幅或いはそれ以上の範囲の幅の切り欠き窓が袋体に出現し、ここから収容された食品を取り出すことができ、単に線状の切り裂きを生じさせるに過ぎない特許文献１に記載の易開封手段のように引き裂き後に更に袋体を破壊しなくても済み、需要者にとってより使いやすい包装袋が実現される。
【０００６】
ところで、前記の公知発明においては装体のシートが所定の範囲に切り裂かれるのは、カットテープの接着箇所においてシートがカットテープとの２重構造となって強度が高いので、切り裂きはカットテープに沿ったシートに発生するからである。この場合、図８に示すようにカットテープ５２及び切り裂かれる側のシート５０は頂部封止部において他方のシート５１に強固に接着（ヒートシール）されているので、接着箇所Ｈにおいて他方のシートから完全に分離して引き離されることはなく、他方のシートの表層５１Ａを剥離しながら引き離される現象が生じる。
【０００７】
この場合、特許文献１に記載の発明においては切り裂きは１本のカットテープの左右に生じる狭い範囲であるので上記現象はさほどの影響を与えないが、特許文献２に記載の発明においては切り裂きは一対のカットテープの間隔の幅或いはそれ以上の範囲の幅をもって生じるので、他方のシートの表層の剥離につられてシートが引っ張られ、ささくれが生じる問題があった。
【課題を解決するための手段】
【０００８】
この発明は以上の従来技術の問題点を解消するための包装入り食品を提供することを目的として創作されたものであり、プラスチックフィルム製の一対のシートを重ね合わせ、各シートの先端所定範囲をタブとして残した状態で、両側辺を横断する線に沿って各シート同士を接着した頂部封止部と、頂部封止部より後方の各シートの両側辺同士を接着した側面封止部により３方を封止した袋体を構成し、この袋体内に固形の食品を挿入することにより、袋体を食品の外形に沿った板状の立体形状に拡げる包装入り食品において、切り裂きのきっかけとなる手段を設けた切り裂き側のシートの裏面のタブ箇所からシート後方にかけて、シート後方に向かって互いの間隔を一旦狭めて交差させた後広げるＸ字状になるように設定した一対のカットテープを接着すると共に、前記頂部封止部において上記テープの交差箇所が一対のシート間に接着されるよう設定したことを特徴とする。
【０００９】
又、第２発明として上記の包装入り食品において、一対のカットテープ中の少なくとも非切り裂き側のシートに接着される側のカットテープの接着強度を、一対のシート同士の接着強度より弱く設定した包装入り食品も開示する。
【発明の効果】
【００１０】
以上の構成よりなるこの発明においては、カットテープ同士の間隔をシート後方に向かうに従い広くなるように設定した一対のカットテープを使用するので、一対のカットテープの間隔の幅或いはそれ以上の範囲の幅の切り欠き窓が袋体に出現し、食品を容易に取り出すことが可能となる。
【００１１】
一方、一対のカットテープは頂部封止部に交差箇所を位置させたＸ字状に配されるので、カットテープに沿って発生した切り裂きは頂部封止部においてはテープ同士の重なり幅に応じた範囲に収束する。よって、一対のカットテープを使用しているにもかかわらず頂部封止部における切り裂きの範囲は１本のカットテープの場合と大差なく、前記した一対のカットテープを使用した場合の問題、即ち、広い幅の切り裂きにより非切り裂き側のシートの表層が広い範囲に渡って剥離され、それにつられてシートが引っ張られてささくれが生じる問題が生じることが防止される。
【００１２】
又、第２発明のように少なくとも非切り裂き側のシートに接着される側のカットテープの接着強度を一対のシート同士の接着強度より弱く設定することにより、カットテープ箇所において切り裂き側のシートは非切り裂き側のシートの表層を剥離することなく引き離されて切り裂かれるので、前記したように切り裂きの範囲が狭いことと相まって、ささくれが生じる問題はより確実に防止される。
【００１３】
以上の作用は、一対のカットテープの配置を変更するだけ、あるいはそれに加えて少なくとも非切り裂き側のシートに接着される側のカットテープの材質を接着強度の弱いものに変更するだけで実現できるので、袋体を構成するシート中の引き裂き部分が接する箇所の接着強度を部分的に変更する手段に比し、格段に低いコストで実現することが可能となる。
【発明を実施するための最良の形態】
【００１４】
以下、この発明の具体的実施例を添付図面に基づいて説明する。ここでは説明の便宜上前記の第２発明を実施した実施品を説明する。実施図１乃至図７は上記の実施例を示す図である。ここでは食品として三角形のサンドイッチを例にとるが、食品はこれに限られないことはいうまでもない。図２にこの発明の包装入り食品に使用する袋体Ｐを構成する各部材を展開状態で示す。この袋体はプラスチックフィルム製の一対のシート１Ａ、１Ｂと、シート１Ａの裏面（袋の内面側）に接着される一対の細幅のカットテープ１０、１１により構成される。一対のシート１Ａ、１Ｂは両側辺が先端に向かって幅狭となる台形又は台形類似の形状に構成され、三方を封止して袋体とした後、この袋体が立体的に拡げられる。この場合、袋体を構成するにあたりシートの先端所定範囲が袋部分を構成しないタブ４Ａ、４Ｂとして残されると共に、シートの後端が食品を差し入れるための開口として残される。具体的には、タブ４Ａ、４Ｂの開始地点においてシートの両側辺を横断する線に沿って各シート同士を接着する頂部封止部２Ａ、２Ｂが設けられると共に、この頂部封止部より後方の各シートの両側辺同士を接着した側面封止部３Ａ、３Ｂが設けられることにより袋体の三方の封止部とされる。そして、折れ目Ａ１、Ａ１及びＢ１、Ｂ１をもって、対向する一対の斜面Ａ及びＢの厚みが頂部封止部２Ａ、２Ｂの幅により規定され、側面Ｃ、Ｄが三角形をなす板状の三角形にこの袋体を拡げることによって包装袋の基本形が完成する（図１参照）。この発明の実施例においては接着手段としてヒートシールを採用する。
【００１５】
上記の製袋工程において、一対のプラスチックフィルム製の細幅のカットテープ１０、１１が一方のシート１Ａの裏面に接着される。これらのカットテープ１０、１１はシートのタブ４Ａ、４Ｂ箇所からシートの後方に向けて配される。これらのカットテープ１０、１１は平行でなく、シート後方に向かって互いの間隔を一旦狭めて交差させた後広げるＸ字状になるように設定され、更にＸ字状の交差箇所Ｔが前記の頂部封止部２Ａ、２Ｂにおいてシート１Ａ、１Ｂ間に位置して接着されるように設定される。又、この実施例においては、板状の三角形に袋体を立体的に拡げた際に、シートのタブ４Ａ、４Ｂ端から始まるカットテープ１０、１１が三角形の斜面Ａから側面Ｄ、Ｃにかけて配されるように間隔を設定している。
【００１６】
一方、前記の頂部封止部２Ａ、２Ｂにおいて上記の一対のカットテープ１０、１１中の少なくとも非切り裂き側のシート１Ｂに接着される側のカットテープ１１の接着強度を、一対のシート同士の接着強度より弱く設定する。この実施例においては、上記のカットテープ１１をイージーピール性フィルムとすることにより接着強度を弱く設定する手段としている。
【００１７】
尚、シート１Ａのタブ４Ａ端には引き裂きのきっかけとなる手段として上記の一対のカットテープ１０、１１の始端より広い間隔をもった一対の切り込みＳ１、Ｓ２が設けられる。
【００１８】
又、この実施例においては、挿入された食品の端面に接すべきプラスチックフィルム製の帯状片５がシート１Ｂの裏面に配される。
【００１９】
以上の工程により基本形が完成した包装袋には例えばサンドイッチ等の食品Ｆが後部の開口から差し入れられた後、食品後端から袋体後端の開口部にかけた袋体の余剰部を折り畳んで粘着テープ等により封止して包装が完了する。
【００２０】
この包装袋の開封に当たっては、一対のテープ１０、１１が接着されている側のシート１Ａのタブ４Ａの一対の切り込みＳ１、Ｓ２により挟まれている箇所を摘んで引っ張り上げることにより、切り込みによりシートはそのまま切り裂かれこの切り裂きはテープ１０、１１に沿って進行し、頂部封止部２Ａ、２Ｂにおいてはテープ同士の重なり幅に応じた範囲に一旦収束し、その後はテープ同士の広がりと共に広がっていく（図７参照）。この場合、引き裂きが頂部封止部２Ａ、２Ｂに達した場合、前記の通り引き裂き部分の幅は狭く、しかも接着力の弱いテープ１１に接しているので、反対側のシート１Ｂの表層を剥離することなく完全に引き離されることとなる（図６参照）。
【図面の簡単な説明】
【００２１】
【図１】この発明の包装入り食品の袋体を拡げた状態を示す斜視図。
【図２】同上、構成部材の組み立て前の状態を示す斜視図。
【図３】同上、袋体の平面状態の斜視図。
【図４】同上、袋体を拡げた状態の断面図。
【図５】同上、頂部封止部付近の封止前の状態を示す要部の縦断面図。
【図６】同上、頂部封止部付近の引き裂き状態を示す要部の横断面図。
【図７】同上、内部に食品を収容した袋体の開封状態を示す斜視図。
【図８】従来技術の袋体の頂部封止部付近の引き裂き状態を示す要部の横断面図。
【符号の説明】
【００２２】
Ｐ      袋体
Ｔ      カットテープの交差箇所
１Ａ    シート
１Ｂ    シート
２Ａ    頂部封止部
２Ｂ    頂部封止部
４Ａ    タブ
４Ｂ    タブ
１０    カットテープ
１１    カットテープ
【図１】
0004827510.tif 000002
【図２】
0004827510.tif 000003
【図３】
0004827510.tif 000004
【図４】
0004827510.tif 000005
【図５】
0004827510.tif 000006
【図６】
0004827510.tif 000007
【図７】
0004827510.tif 000008
【図８】
0004827510.tif 000009